(57)【要約】【課題】  定型業務ボタンに暗号化送信設定を登録する際に、暗号化用の鍵だけを登録せずにその他の設定は登録できるようにし、暗号化用の鍵が登録されていない状態で暗号化送信を行えるようにすること。【解決手段】  暗号化送信設定画面内に、暗号化用の鍵の有無をチェックするチェックボックスと、暗号化用の鍵を入力する入力画面を設けることによって、暗号化用の鍵を入力しなくともチェックボックスにチェックをするだけで暗号化送信設定を保存可能となる。【選択図】  図１
2007110626.tif 000002
【特許請求の範囲】
【請求項１】
文書を画像処理装置の読取装置で読取り、読取った画像を任意の送信宛先に対して暗号化して送信することができ、暗号化送信を行うための設定画面を有している画像処理装置において、前記暗号化送信を行うための設定画面に、暗号化の有無を設定するための設定項目と暗号化するために必要な情報（鍵もしくは鍵の元となるデータ）を入力するための入力項目を設けていることと、前記暗号化送信設定手段において設定した暗号化送信設定をある一つのキー（以下、定型業務ボタン）に登録するための定型業務登録手段と、前記暗号化送信設定手段で設定した設定内容で、暗号化送信を行った際の暗号化送信設定内容を保存しておき、あるキー（以下、コールキー)を押下することでその暗号化送信設定内容を呼び出すことができるような手段（以下、コール機能）とを有していることを特徴とする画像処理装置。
【請求項２】
第１項記載の暗号化するために必要な情報を入力するための入力項目は、第１項記載の暗号化の有無を設定するための設定項目が暗号化有りになっている場合にのみ、入力可能となることを特徴とする請求項１に記載の画像処理装置。
【請求項３】
第１項記載の暗号化するために必要な情報（鍵もしくは鍵の元となるデータ）を定型業務ボタンに登録する際には、鍵もしくは鍵の元となるデータを暗号化して登録することを特徴とする請求項１から請求項２に記載の画像処理装置。
【請求項４】
第１項記載の暗号化するために必要な情報（鍵もしくは鍵の元となるデータ）をコールキーに登録する際には、鍵もしくは鍵の元となるデータを消去して登録することを特徴とする請求項１から請求項３に記載の画像処理装置。
【請求項５】
第１項記載の暗号化するために必要な情報は、画像処理装置の表示装置上からユーザに入力させた任意の文字列（パスワード）を用いることを特徴とする請求項１から請求項４に記載の画像処理装置。
【請求項６】
第１項記載の暗号化するために必要な情報は、画像処理装置に取り付けられた外部デバイス（ICカード等）内に保存されている暗号化用の鍵を用いることを特徴とする請求項１から請求項５に記載の画像処理装置。
【請求項７】
第1項記載の定型業務登録手段において、第1項記載の暗号化するために必要な情報（鍵もしくは鍵の元となるデータ）は入力せずに、第１項記載の暗号化の有無の設定内容だけを保存可能としたことを特徴とする請求項１から請求項６に記載の画像処理装置。
【請求項８】
第１項記載の暗号化の有無の設定が暗号化有りで、第１項記載の暗号化するために必要な情報（鍵もしくは鍵の元となるデータ）が入力されていなかった場合は、暗号化送信を開始するための開始ボタンが押下された直後に暗号化するために必要な情報を入力するための入力画面を表示し、暗号化するために必要な情報が入力されない限り、暗号化送信を開始できないようにしたことを特徴とする請求項１から請求項７に記載の画像処理装置。
【発明の詳細な説明】
【技術分野】
【０００１】
本発明は、画像処理装置における暗号化送信に関するものであり、特に暗号化送信設定の設定内容の保存方法に関するものである。
【背景技術】
【０００２】
従来、画像処理装置における送信設定を簡単に行うための方法としては、送信設定の内容を定型業務ボタンに登録し呼び出す方法や、暗号化送信した際の送信設定内容をコールキーに記憶し、コールキーから呼び出すというコール機能等を用いる方法が存在している。
【０００３】
従来例としては、例えば特許文献１をあげることが出来る。
【特許文献１】特登録３４３８９３５号公報
【発明の開示】
【発明が解決しようとする課題】
【０００４】
しかしながら、上述した従来の技術を用いて暗号化送信設定の入力を簡単に行おうとした場合、暗号化送信設定に必要な情報である鍵もしくは鍵のなる元となるデータも定型業務ボタンやコールキーに保存されてしまう。本来、セキュリティを確保する上で最も重要なこれらの情報は他人に知られたり、使用されることは望ましくないことであるが、従来技術では鍵もしくは鍵の元となるデータを入力した本人以外の他人がこの定型業務ボタンやコールキーを使用することによって、定型業務やコールキーに保存されている鍵もしくは鍵の元となるデータを用いて暗号化送信することができてしまう。このため、他人には秘密にしておきたいはずの鍵もしくは鍵の元となるデータを他人に使用されてしまうといった問題がある。
【課題を解決するための手段】
【０００５】
上述した課題を解決するために、請求項１記載の発明は、文書を画像処理装置の読取装置で読取り、読取った画像を任意の送信宛先に対して暗号化して送信することができ、暗号化送信を行うための設定画面を有している画像処理装置において、前記暗号化送信を行うための設定画面に、暗号化の有無を設定するための設定項目と暗号化するために必要な情報（鍵もしくは鍵の元となるデータ）を入力するための入力項目を設けていることと、前記暗号化送信設定手段において設定した暗号化送信設定をある一つのキー（以下、定型業務ボタン）に登録するための定型業務登録手段と、前記暗号化送信設定手段で設定した設定内容で、暗号化送信を行った際の暗号化送信設定内容を保存しておき、あるキー（以下、コールキー）を押下することでその暗号化送信設定内容を呼び出すことができるような手段（以下、コール機能）とを有している。
【０００６】
請求項２記載の発明は、第１項記載の暗号化するために必要な情報を入力するための入力項目は、第１項記載の暗号化の有無を設定するための設定項目が暗号化有りになっている場合にのみ、入力可能としている。
【０００７】
請求項３記載の発明は、第１項記載の暗号化するために必要な情報（鍵もしくは鍵の元となるデータ）を定型業務ボタンに登録する際には、鍵もしくは鍵の元となるデータを暗号化して登録するこができる。
【０００８】
請求項４記載の発明は、第１項記載の暗号化するために必要な情報（鍵もしくは鍵の元となるデータ）をコールキーに登録する際には、鍵もしくは鍵の元となるデータを消去して登録することができる。
【０００９】
請求項５記載の発明は、第１項記載の暗号化するために必要な情報は、画像処理装置の表示装置上からユーザに入力させた任意の文字列（パスワード）を用いることができる。
【００１０】
請求項６記載の発明は、第１項記載の暗号化するために必要な情報は、画像処理装置に取り付けられた外部デバイス（ICカード等）内に保存されている暗号化用の鍵を用いることができる。
【００１１】
請求項７記載の発明は、第1項記載の定型業務登録手段において、第1項記載の暗号化するために必要な情報（鍵もしくは鍵の元となるデータ）は入力せずに、第１項記載の暗号化の有無の設定内容だけを保存することができる。
【００１２】
請求項８記載の発明は、第１項記載の暗号化の有無の設定が暗号化有りで、第１項記載の暗号化するために必要な情報（鍵もしくは鍵の元となるデータ）が入力されていなかった場合は、暗号化送信を開始するための開始ボタンが押下された直後に暗号化するために必要な情報を入力するための入力画面を表示し、暗号化するために必要な情報が入力されない限り、暗号化送信を開始できないようにすることができる。
【発明の効果】
【００１３】
本発明によって、定型業務ボタンに暗号化に必要な鍵もしくは鍵の元となる情報を保存したくないユーザには、暗号化に必要な鍵もしくは鍵の元となる情報を保存せずに暗号化送信設定を定型業務ボタンに保存できるようになる。また、定型業務ボタンに暗号化に必要な鍵もしくは鍵の元となる情報を保存しても良いというユーザに対しても、これら暗号化に必要な情報は暗号化して保存することができるので、万が一これらの情報が流出してしまったとしても暗号化されているため解読することができない。よって、セキュリティが向上する。
【００１４】
さらに、コールキーに暗号化送信設定の内容を保存する際には暗号化に必要な鍵もしくは鍵の元となる情報を消去して保存するので、他人にこれらの情報を使用して暗号化送信されるということを無くすこが可能となる。
【発明を実施するための最良の形態】
【００１５】
（実施例１）
本発明の実施の形態について説明する。図1は本発明にかかる画像処理装置の一般的な構成図を示したものである。
【００１６】
以下、定型業務ボタンに暗号化送信設定内容を登録し、登録した定型業務ボタンから暗号化送信設定を呼び出し、暗号化送信を行うというフローについて、図２の暗号化送信設定画面、及び図３、図４のフローチャートに従いながら詳細に説明していく。
【００１７】
まず、図２に示す暗号化送信設定画面を開き（s101）、暗号化送信設定画面内の暗号化有無の設定項目画面（D202）に暗号化をする場合はチェックを行う（s102）。次に暗号化有無の設定項目で暗号化有りが設定されているかどうかを判断し（s103）、暗号化有りに設定されていた場合は、パスワード入力画面（D203）をパスワード入力可能な状態とし（s104）、パスワードを定型業務ボタンに保存したい場合はここでパスワードを入力し、パスワードを定型業務ボタンに保存させたくない場合はパスワードを入力せずに、暗号化送信設定画面を閉じて設定を完了させる（s105）。次に、定型業務登録ボタンを開き登録開始ボタンを押下する（s107）。このとき、暗号化送信設定画面（D202）のパスワード入力画面（D203）にパスワードが入力されているかを判断し（s107）、パスワードが入力されていない場合は、そのまま定型業務ボタンに登録する（s109）。s107でパスワードが入力されていた場合は、パスワードを登録する際にパスワードを暗号化して（s108）定型業務ボタンに登録する（s109）。
【００１８】
次に、定型業務ボタンに登録された暗号化送信設定を呼び出して（s201）、原稿の読み取り開始ボタン（D204）を押下する（s202）。このとき、暗号化送信設定内容に暗号化有無の設定項目（D202）が暗号化有りに設定されており、かつパスワード入力画面（D202）にパスワードが設定されているかどうかを判断する（s203）。パスワードが設定されていた場合は、原稿の読み取りを開始し（s206）、送信宛先に対して送信開始する（s207）。パスワードが設定されていなかった場合は、ユーザにパスワード入力を促す画面を自動で開き（s204）、開かれた画面からパスワードを入力するまでは暗号化送信を開始できないようにし（s205）、パスワードが入力されれば原稿の読み取りを開始し（s206）、送信宛先に対して送信を開始する（s207）。
【００１９】
（実施例２）
本発明の実施の形態について説明する。図1は本発明にかかる画像処理装置の一般的な構成図を示したものである。
【００２０】
以下、コールキーに暗号化送信設定内容を保存し、コールキーから暗号化送信設定を呼び出し、暗号化送信を行うというフローについて、図２の暗号化送信設定画面、及び図５、図６のフローチャートに従いながら詳細に説明していく。
【００２１】
まず、暗号化送信設定画面（D201）を開き（s301）、暗号化送信設定を行う（s302）。次に原稿の読み取り開始ボタン（D204）を押下し、原稿の読み取りを開始し（s303）送信宛先に対して送信を行う（D304、D305）。送信が完了すると送信を行った際の暗号化送信設定をコールキーに保存開始する（s306）。ここで、暗号化送信設定を保存する際にはパスワードを消去して（s307）コールキーに暗号化送信設定が保存される（s308）。
【００２２】
次に、コールキーに登録された暗号化送信設定を呼び出し（s401）、原稿の読み取り開始ボタン（D204）を押下する（s402）。このとき、暗号化送信設定内容のパスワードは必ず消去されているため、ユーザにパスワード入力を促す画面を自動で開き（s403）、開かれた画面からパスワードを入力するまでは暗号化送信を開始できないようにし（s404）、パスワードが入力されれば原稿の読み取りを開始し（s405）、送信宛先に対して送信を開始する（s406）。
【図面の簡単な説明】
【００２３】
【図１】画像処理装置の一般的な構成図。
【図２】暗号化送信設定画面の一例。
【図３】実施例１のフローチャート１。
【図４】実施例１のフローチャート２。
【図５】実施例２のフローチャート１。
【図６】実施例２のフローチャート２。
【符号の説明】
【００２４】
D101  中央処理装置
D102  主記憶装置
D103,D201  表示装置
D104  入力装置
D105  外部記憶装置
D106  印刷装置
D107  画像読み取り装置
D108  ネットワーク装置
D109  電子メール装置
D110  ファックス装置
D202  暗号化の有無設定項目画面
D203  パスワード入力画面
D204  原稿読み取り開始ボタン
【図１】
2007110626.tif 000003
【図２】
2007110626.tif 000004
【図３】
2007110626.tif 000005
【図４】
2007110626.tif 000006
【図５】
2007110626.tif 000007
【図６】
2007110626.tif 000008